(57)【要約】【課題】サーバと複数の通信端末装置とからなる通信システムにおいて、通信端末装置のユーザ辞書を効率的に更新できるシステムを提供する。【解決手段】サーバ１０１は、単語の読みと表記とをジャンル別に登録したジャンル辞書１１１と、通信端末装置１０２が希望する単語のジャンルをサーバ１０１に登録する。携帯電話機１０２がサーバ１０１を介して送受信するメールの文章中に当該単語があれば、サーバからその単語を受信する。制御部１３０は受信した単語がメモリ１２４にある基本辞書やユーザ辞書１２８に登録されていないとき、ユーザ辞書１２８に当該単語を登録する。【選択図】  図１
2004295426.tif 000002
【特許請求の範囲】
【請求項１】
サーバと複数の通信端末装置とからなる通信システムであって、
前記サーバは、
単語の読みと表記とをジャンル別に登録したジャンル辞書と、
前記通信端末装置の識別子とジャンルとを登録する登録手段と、
前記登録手段に登録された識別子で識別される通信端末装置に提供する文章又は送受信する文章にジャンル辞書の当該ジャンルに登録された単語が存在するとき、当該単語の読みと表記とを当該通信端末装置に送信する単語送信手段とを備え、
前記各通信端末装置は、
ユーザ辞書と、
前記サーバに自装置の識別子と送信を希望する単語のジャンルとを通知する通知手段と、
前記サーバから単語の読みと表記とを受信する受信手段と、
受信手段で受信された各単語の読みと表記とがユーザ辞書に登録されているか否かを判定する判定手段と、
前記判定手段で登録されていないと判定されたとき、ユーザ辞書に当該単語を登録する単語登録手段とを備えることを特徴とする通信システム。
【請求項２】
複数の通信端末装置と接続されるサーバであって、
単語の読みと表記とをジャンル別に登録したジャンル辞書と、
前記通信端末装置の識別子とジャンルとを登録する登録手段と、
前記登録手段に登録された識別子で識別される通信端末装置に提供する文章又は送受信する文章にジャンル辞書の当該ジャンルに登録された単語が存在するとき、当該単語の読みと表記とを当該通信端末装置に送信する単語送信手段とを備えることを特徴とするサーバ。
【請求項３】
前記ジャンル辞書には、ジャンルの項目を示すメニューが記憶されており、
前記通信端末装置からのメニュー送信要求に応じてジャンル辞書からメニューを読み出し送信するメニュー送信手段を更に備えることを特徴とする請求項２記載のサーバ。
【請求項４】
前記単語送信手段は、
前記文章を記憶する文章記憶部と、
前記文章が提供又は送受信される通信端末装置を識別する識別子が前記登録手段に登録されているか否かを判定する判定部と、
前記判定部で登録されていると判定されたとき、前記文章記憶部に記憶されている文章を形態素解析して単語単位に分割する分割部と、
前記分割部で分割された単語の表記が、前記ジャンル辞書における前記登録手段に識別子とともに登録されたジャンルに登録されているか否かを検索し、登録されていれば対になる読みとともに抽出する検索抽出部とを有することを特徴とする請求項３記載のサーバ。
【請求項５】
前記サーバは、メールサーバであり、
前記文章記憶部は、或る通信端末装置から別の通信端末装置に送信されるメールの文章を記憶しており、
前記識別子は、送信元と送信先の通信端末装置を識別するメールアドレスであり、
前記単語送信手段は、
前記検索抽出部で抽出された読みと表記とを送信元には、そのまま、送信先には、前記文章に読みと表記とを付加して送信することを特徴とする請求項４記載のサーバ。
【請求項６】
前記サーバは、ホームページを提供するサーバであり、前記文章記憶部は、提供するホームページの文章であり、
前記識別子は、サーバにアクセスした通信端末装置を識別するＩＰアドレスであり、
前記単語送信手段は、
前記通信端末装置から当該文章記憶部に記憶された文章にアクセスされた後、前記検索抽出部で抽出された読みと表記とを送信することを特徴とする請求項４記載のサーバ。
【請求項７】
サーバと接続される通信端末装置であって、
ユーザ辞書と、
前記サーバに自装置の識別子と送信を希望する単語のジャンルとを通知する通知手段と、
前記サーバから単語の読みと表記とを受信する受信手段と、
受信手段で受信された各単語の読みと表記とがユーザ辞書に登録されているか否かを判定する判定手段と、
前記判定手段で登録されていないと判定されたとき、ユーザ辞書に当該単語を登録する単語登録手段とを備えることを特徴とする通信端末装置。
【請求項８】
前記サーバに単語のジャンルの選択するためのメニューの送信要求をするメニュー送信要求手段と、
前記サーバから送信されてくるメニューを受信して表示するメニュー受信表示手段とを更に備えることを特徴とする請求項７記載の通信端末装置。
【請求項９】
前記通信端末装置は、携帯電話機であり、
前記サーバの文章記憶部に記憶されている文章は、或る携帯電話機から別の携帯電話機に送信されるメールの文章であり、
前記受信手段は、
受信された単語の読みを表記との対を表示する表示部と、
表示された単語を登録するか否かをユーザが選択する選択部とを有し、
前記単語登録手段は、前記選択部で登録する旨の選択された単語の読みと表記とだけを登録することを特徴とする請求項８記載の通信端末装置。
【請求項１０】
サーバと複数の通信端末装置とからなる通信システムの通信方法であって、
前記サーバにおいて、
前記通信端末装置の識別子とジャンルとを登録する登録ステップと、
前記登録ステップに登録された識別子で識別される通信端末装置に提供する文章又は送受信する文章に単語の読みと表記とをジャンル別に登録したジャンル辞書の当該ジャンルに登録された単語が存在するとき、当該単語の読みと表記とを当該通信端末装置に送信する単語送信ステップとを有し、
前記各通信端末装置において、
前記サーバに自装置の識別子と送信を希望する単語のジャンルとを通知する通知ステップと、
前記サーバから単語の読みと表記とを受信する受信ステップと、
受信ステップで受信された各単語の読みと表記とがユーザ辞書に登録されているか否かを判定する判定ステップと、
前記判定ステップで登録されていないと判定されたとき、ユーザ辞書に当該単語を登録する単語登録ステップとを有すことを特徴とする通信方法。
【請求項１１】
ユーザ辞書を有する複数の通信端末装置と接続されたサーバのユーザ辞書登録方法であって、
前記通信端末装置の識別子とジャンルとを登録する登録ステップと、
前記登録ステップで登録された識別子で識別される通信端末装置に提供する文章又は送受信する文章に単語の読みと表記とをジャンル別に登録したジャンル辞書の当該ジャンルに登録された単語が存在するとき、当該単語の読みと表記とを当該通信端末装置に送信する単語送信ステップとを有すことを特徴とするユーザ辞書登録方法。
【請求項１２】
サーバに接続された通信端末装置のユーザ辞書登録方法であって、
前記サーバに自装置の識別子と送信を希望する単語のジャンルとを通知する通知ステップと、
前記サーバから単語の読みと表記とを受信する受信ステップと、
受信ステップで受信された各単語の読みと表記とがユーザ辞書に登録されているか否かを判定する判定ステップと、
前記判定ステップで登録されていないと判定されたとき、ユーザ辞書に当該単語を登録する単語登録ステップとを有することを特徴とするユーザ辞書登録方法。
【発明の詳細な説明】
【０００１】
【発明の属する技術分野】
本発明は、サーバと複数の通信端末装置とからなる通信システムにおける各通信端末装置が有するユーザ辞書の単語登録をする技術に関する。
【０００２】
【従来の技術】
従来から、携帯電話機のような通信端末装置において、文章を作成する際には、先ず、平仮名文字を入力した後に、通信端末装置が備える基本辞書やユーザ辞書を用いて平仮名・漢字変換や平仮名・カナ変換がなされて所望の表記を得ている。
【０００３】
しかし、通信端末装置が有する基本辞書やユーザ辞書はメモリ量の制約から大規模なものではないので、単語単位の変換であっても所望の変換がなされないのが現状である。そのため、文章を入力するユーザは、入力モードを変更しながら、所望の表記となるよう煩雑な操作を繰り返している。
このように辞書の貧弱なことによる問題を解決するための技術として、例えば、辞書を共用するシステムとして、特許文献１がある。この技術は、辞書サーバから必要な辞書データをダウンロードして用いるものである。
【０００４】
【特許文献１】
特開平１０−２６０９６０号公報
【０００５】
【発明が解決しようとする課題】
しかし、辞書データを大量にユーザ辞書に取り込むのであれば、最初から基本辞書に大規模なものを用いるのと変わりがなく、メモリ資源の乏しい、例えば携帯電話機では、難点となる。
本発明は、ユーザにとって必要な単語をユーザ辞書に容易に登録できる通信システム及びサーバ並びに通信端末装置を提供することを目的とする。
【０００６】
【課題を解決する為の手段】
本発明は、上記課題に鑑みなされたものであり、サーバと複数の通信端末装置とからなる通信システムであって、前記サーバは、単語の読みと表記とをジャンル別に登録したジャンル辞書と、前記通信端末装置の識別子とジャンルとを登録する登録手段と、前記登録手段に登録された識別子で識別される通信端末装置に提供する文章又は送受信する文章にジャンル辞書の当該ジャンルに登録された単語が存在するとき、当該単語の読みと表記とを当該通信端末装置に送信する単語送信手段とを備え、前記各通信端末装置は、ユーザ辞書と、前記サーバに自装置の識別子と送信を希望する単語のジャンルとを通知する通知手段と、前記サーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。
【０００７】
【発明の実施の形態】
本発明に係る通信システムの実施の形態について、図面を用いて説明する。
（一実施の形態）
図１は、本発明に係る通信システムの一実施の形態の構成図である。
【０００８】
この通信システムは、サーバ１０１と、複数の通信端末装置である携帯電話機１０２等とが基地局１０３を介して接続されている。サーバ１０１と基地局１０３間は、公衆回線網１０４で接続され、携帯電話機１０２と基地局１０３間は無線で通信される。
サーバ１０１は、ジャンル辞書１１１と、登録部１１２と、文章記憶部１１３と、送受信部１１４と、解析部１１５と、検索部１１６とを備えている。
【０００９】
携帯電話機１０２は、アンテナ１２１と、ＲＦ部１２２と、ＢＢ部１２３と、メモリ１２４と、マイク１２５と、スピーカ１２６と、表示部１２７と、ユーザ辞書１２８と、操作部１２９と、制御部１３０とを備えている。
先ず、サーバ１０１について説明する。
ジャンル辞書１１１は、単語をジャンルに分類し、各単語の読みと表記との対として登録している。また、ジャンルの分類を一覧としたメニューを登録している。
【００１０】
図２は、このメニューを示すものである。メニュー２０１は、大分類の項目として、スポーツ、旅行、ギャンブル等を有し、更に中分類や小分類の項目を有している。例えば、スポーツの中分類には、野球、サッカー、水泳等の項目を有し、野球は、更に大リーグ、プロ野球、社会人野球、高校野球の小分類の項目に分類されている。
【００１１】
図３は、ジャンル辞書１１１のジャンル「大リーグ」に対応する辞書内容の一例を示している。ジャンル辞書１１１は、単語の読み３０１と表記３０２とを対にして登録している。
登録部１１２は、送信すべき単語のジャンル（項目）と送信先の携帯電話機１０２を識別する識別子との組を送信一覧表に登録している。
【００１２】
図４は、登録部１１２に登録されている送信一覧表の一例を示す図である。
送信一覧表４０１には、送信を希望する単語のジャンル４０２とその送信先を識別する識別子４０３とが記載されている。単語４０２のジャンルは、大項目であってもよいし、中項目、小項目いずれであってもよい。送信先を識別する識別子４０３は、電話番号であってもよいし、メールアドレスやＩＰアドレスであってもよい。
【００１３】
登録部１１２は、送受信部１１４から携帯電話機１０２等から単語のジャンルと携帯電話機１０２等の識別子の登録指示を通知されると送信一覧表４０１に登録する。
また、送受信部１１４からメールの文章の送信元と送信先との識別子の通知を受けると、送信一覧表４０１に登録されている識別子４０３に一致するものがあるか否かを判定する。一致する識別子があるときには、解析部１１５に対応するジャンルを通知する。
【００１４】
更に、登録部１１２は、送信元又は送信先の識別子が登録されているとき、そのジャンルを送受信部１１４にも通知する。
文章記憶部１１３は、携帯電話機１０２等から送受信されたメールの文章を送受信部１１４によって記録される。
図５は、文章記憶部１１３に記憶されたメールの文章５０１の一例を示す図である。
【００１５】
送受信部１１４は、携帯電話機１０２等からジャンル辞書１１１のメニュー２０１の要求を受けると、ジャンル辞書１１１からメニュー２０１を読み出し、要求元の携帯電話機１０２等に送信する。
また、携帯電話機１０２等からメニュー２０１から選択されたジャンルの通知を受信すると、登録部１１２にジャンルと携帯電話機１０２等の識別子とを登録するよう指示する。
【００１６】
また、送受信部１１４は、携帯電話機１０２等からメールの文章を受信すると、文章記憶部１１３にメールの文章を記憶させ、登録部１１２にメールの送信元と送信先の識別子を通知する。
登録部１１２からジャンルの通知を受け、その後、検索部１１６からジャンルと単語の読みと表記との通知を受けると、識別子で識別される携帯電話機１０２等にジャンルに対応する単語を送信する。なお、携帯電話機１０２等がメールの送信先であるときは、メールの文章に付加して単語の読みと表記とを送信し、メールの送信元であるときには、単語の読みと表記とを送信する。
【００１７】
解析部１１５は、形態素辞書を有し、登録部１１２からジャンルの通知を受けると、文章記憶部１１３に記憶されているメールの文章５０１を読み出し、形態素解析を行い、文章５０１を単語単位に分割し、ジャンルとともに単語の表記を検索部１１６に通知する。
検索部１１６は、解析部１１５からジャンルとともに文章に含まれる単語の表記の通知を受けると、ジャンル辞書１１１の通知されたジャンルに通知された単語の表記が登録されているか否か検索し、登録されているときは、その単語の読みと表記との対を送受信部１１４にそのジャンルとともに通知する。
【００１８】
次に、携帯電話機１０２について説明する。
アンテナ１２１は、基地局１０３との間で高周波信号の送受信を行う。
ＲＦ部は１２２には、アンテナ１２１より入力される高周波信号を中間周波信号に変換してＢＢ部１２３に出力し、また、ＢＢ部１２３から入力される中間周波信号を高周波信号に変換して、アンテナ１２１に出力する。
【００１９】
ＢＢ部１２３には、ＲＦ部１２２と制御部１３０とから入力される信号についてベースバンド処理を行い、制御部１３０とＲＦ部１２２とにそれぞれ出力する。
メモリ部１２４は、制御部１３０の動作を制御する制御プログラムを記憶している。また、単語の読みと表記の対を登録している基本辞書を記憶している。
【００２０】
マイク１２５は、ユーザの音声を集音し、音声信号に変換して制御部１３０を介してＢＢ部１２３に出力する。
スピーカ１２６は、制御部１３０を介してＢＢ部１２３から出力された他の携帯電話機からの音声信号を音声に変換して出力する。
表示部１２７は、液晶等からなり、制御部１３０の制御に従い、携帯電話機１０２の状態等を表示する。また、表示部１２７は、操作部１２９から入力される文字を表示したり、他の携帯電話機から送信されてくる文字や画像を表示する。
【００２１】
図６は、携帯電話機１０２の正面図である。表示部１２７の表示画面には、ジャンル登録モードの初期画面のメニュー画面６０１が表示されている。サーバ１０１のジャンル登録辞書１１１に記憶されているメニューを受信し、表示したものである。このメニュー画面６０１は、メニュー２０１の大項目を表示しているものであり、「選択」ボタン等によって中項目、小項目にジャンルを選択していくことができる。
【００２２】
ユーザ辞書１２８は、メモリ１２４に記憶されている基本辞書に登録されていない単語を登録している。この登録は、ジャンル登録モードによるサーバ１０１から通知された単語を登録する場合と、従来からの個別の単語の登録の場合がある。
図９は、ユーザ辞書１２８の一例を示す図である。ユーザ辞書７０１には、単語の読み７０２と表記７０３が対になって登録されている。ユーザの使用頻度の高い単語が登録されている。
【００２３】
操作部１２９は、ユーザ操作を受け付け、制御部１３０にその操作内容を通知する。
図６に示したように、ジャンル登録モードを選択し、メニュー画面６０１が表示されているとき、選択ボタン６０２や登録ボタン６０３を操作して、サーバ１０１から送信を希望する単語のジャンルを登録する。
【００２４】
例えば、図２に示したメニュー２０１の「大リーグ」を登録するときは、操作部１２９において、ユーザは、先ず「１．スポーツ」を選択ボタン６０２で選択し、最後に「１．大リーグ」を選択した後、登録ボタン６０３を操作する。
この操作内容を受けた制御部１３０は、例えば、自身のメールアドレス「Ｕｅｙａ＠ｓａｎｙｏ．ｃｏ．ｊｐ」とともに、この単語のジャンル「１．スポーツ、１．野球、１．大リーグ」をＲＦ部１２２等を介してサーバ１０１に送信する。
【００２５】
これによって、サーバ１０１の登録部１１２にある送信一覧表４０１に登録される。
制御部１３０は、ＣＰＵを含み、メモリ１２４に記憶されている制御プログラムに従い、携帯電話機１０２の各部を制御する。
図８は、ジャンル登録の動作を説明するフローチャートである。制御部１３０の動作を中心に説明する。
【００２６】
制御部１３０は、操作部１２９で選択されたモードがジャンル登録モードになるのを待ち（Ｓ８０２）、ジャンルのメニューの送信要求をＲＦ部１２２等を介してサーバ１０１に送信する（Ｓ８０４）。
サーバ１０１の送受信部１１４は、このメニューの送信要求を受け、ジャンル辞書１１１からメニューを読出し（Ｓ８０６）、要求元の携帯電話機１０２に送信する（Ｓ８０８）．
制御部１３０は、アンテナ１２１等を介して受信したメニューの大項目を図６に示したメニュー画面６０１として表示部１２７に表示する（Ｓ８１０）。
【００２７】
制御部１３０は、操作部１２９からユーザによる項目（ジャンル）の選択を待ち（Ｓ８１２）、次に登録ボタンが操作されたか否かを判定し（Ｓ８１６）、Ｓ８１２に戻る。
制御部１３０は、登録  ボタンが操作されると、自装置を識別する識別子と単語の選択されたジャンルとをサーバ１０１に送信する（Ｓ８１８）。
【００２８】
サーバ１０１の送受信部１１４がこれを受信すると、登録部１２１は、送信一覧表に図４に示したように登録する（Ｓ８２０）。
次に、携帯電話機１０２にサーバ１０１を介してメールが送信されてくる場合の動作を図９のフローチャートで説明する。なお、この携帯電話機１０２は、サーバ１０１にジャンル「大リーグ」を登録しているものとする。
【００２９】
サーバ１０１の文章記憶部１１３にメールの文章例えば５０１が記憶される。登録部１１５は、この文章の送信元又は送信先を識別する識別子を送受信部１１４から通知されると、送信一覧表４０１の単語の送信先である携帯電話機識別子４０３に登録されているか否かを判定し（Ｓ９０２）、登録されているとき、解析部１１５にそのジャンルを通知して解析部１１５を起動する。
【００３０】
解析部１１５は、文章記憶部１１３に記憶されている文章を取得し、形態素解析を行い単語に分割する（Ｓ９０４）。
検索部１１６は、解析部１１５で、分割された単語を一つ取得し（Ｓ９０６）、単語が例えば、ジャンル辞書１１１のジャンル「大リーグ」の表記にあるか否かを判定する（Ｓ９０８）。あるときは、ジャンル辞書１１１からその単語の読みと表記との対を得る（Ｓ９１０）。
【００３１】
Ｓ９０８において、否と判定したときは、解析部１１５で分割された分割された単語がまだあるか否かを判定し（Ｓ９１２）、あればＳ９０６に戻る。
ないときは、送受信部１１４は、ジャンル辞書を検索して得られた単語の送信先が、メールの文章の送信先か否かを判定する（Ｓ９１４）。送信先であれば、メールの文章に付加して単語の読み表記との対を送信する（Ｓ９１６）。送信先ではなく、送信元のときには、単語の読みと表記との対を送信し（Ｓ９１８）、処理を終了する。
【００３２】
上述の図９のフローチャートで説明したように、携帯電話機１０２にメールの文章とともに単語がサーバ１０１から送信されたとき、表示部１２７には、制御部１３０によって、メールの文章と単語の読みと表記とが表示される。
図１０は、その表示画面を示している。表示画面１００１には、メールの文章１００２とともに単語の読みと表記１００３とが表示される。この単語が基本辞書やユーザ辞書１２８に登録されていないとき、ユーザ辞書１２８に登録される。
【００３３】
図１１は、更新されたユーザ辞書１１０１の内容の一例を示す図である。図７に示したユーザ辞書７０１の内容に、ジャンル辞書１１１に登録されていた単語１１０２が新たに登録されている。
次に、このユーザ辞書の更新の動作を図１２のフローチャートを用いて説明する。
【００３４】
制御部１３０は、アンテナ１２１等を介してメールの文章とメールの文章に含まれる選択したジャンルの単語の読みと表記との対を受信するのを待つ（Ｓ１２０２）。単語を１つ取得して（Ｓ１２０４）、メモリ１２４に記憶されている基本辞書にその表記が登録されているか否かを判定する（Ｓ１２０６）。
登録されていれば、Ｓ１２１２に移り、登録されていなければ、ユーザ辞書１２８にその単語の読みと表記とを対にして登録する（Ｓ１２１０）。
【００３５】
登録されているときには、受信された単語がまだあるか否かを判定し（Ｓ１１２１２）、なければ処理を終了し、あるときはＳ１２０４に戻る。
なお、上記実施の形態では、携帯端末装置１０２のユーザ辞書１２８に登録されていない、サーバ１０１から送信されてきた単語全てを登録するようにしたけれども、ユーザが選択ボタンを用いて選択的に登録するようにしてもよい。
【００３６】
また、携帯電話機１０１は、１つのジャンルの単語を選択する必要はなく、複数のジャンルを選択して登録するようにしてもよいし、更に全ジャンルを選択して登録する事も可能である。
また、上記実施の形態では、通信端末装置を携帯電話機１０２として説明したけれども、携帯電話機１０２に限るものではなく、ＰＤＡ（ｐｅｒｓｏｎａｌ  ｄｉｇｉｔａｌ  ａｓｓｉｓｔａｎｔｓ）やＰＣ（ｐｅｒｓｏｎａｌ  ｃｏｍｐｕｔｅｒ）であってもよいのは勿論である。
【００３７】
また、サーバ１０１をメールサーバとして説明したけれども、ホームページを提供するサーバであってもよいのは勿論である。
【００３８】
【発明の効果】
以上説明したように、本発明は、サーバと複数の通信端末装置とからなる通信システムであって、前記サーバは、単語の読みと表記とをジャンル別に登録したジャンル辞書と、前記通信端末装置の識別子とジャンルとを登録する登録手段と、
前記登録手段に登録された識別子で識別される通信端末装置に提供する文章又は送受信する文章にジャンル辞書の当該ジャンルに登録された単語が存在するとき、当該単語の読みと表記とを当該通信端末装置に送信する単語送信手段とを備え、前記各通信端末装置は、ユーザ辞書と、前記サーバに自装置の識別子と送信を希望する単語のジャンルとを通知する通知手段と、前記サーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。このような構成によって、各通信端末装置では、予めサーバに通知したジャンルの単語が、自装置に提供される文章中、自装置に送信される文章中又は自装置から送信した文章中に存在するとき、サーバからその単語の読みと表記とを受信し、自身のユーザ辞書に登録されていないとき、当該単語を登録することができる。従って、使用頻度の高い単語を容易にユーザ辞書に登録することができ、文章作成の平仮名文字の変換操作の煩雑さを回避できる。
【００３９】
また、本発明は、複数の通信端末装置と接続されるサーバであって、単語の読みと表記とをジャンル別に登録したジャンル辞書と、前記通信端末装置の識別子とジャンルとを登録する登録手段と、前記登録手段に登録された識別子で識別される通信端末装置に提供する文章又は送受信する文章にジャンル辞書の当該ジャンルに登録された単語が存在するとき、当該単語の読みと表記とを当該通信端末装置に送信する単語送信手段とを備えることとしている。このような構成によって、サーバが介在する文章中に通信端末装置から指定されたジャンルの単語が含まれているとき、通信端末装置に当該単語の読みと表記とを送信するので、通信端末装置では、ユーザ辞書に登録して、ユーザの使用頻度の高い興味のあるジャンルの単語の変換の効率を上げることができる。
【００４０】
また、前記ジャンル辞書には、ジャンルの項目を示すメニューが記憶されており、前記通信端末装置からのメニュー送信要求に応じてジャンル辞書からメニューを読み出し送信するメニュー送信手段を更に備えることとしている。このような構成によって、通信端末装置を利用するユーザは、容易に送信を受ける単語のジャンルを選択することができる。
【００４１】
また、前記単語送信手段は、前記文章を記憶する文章記憶部と、前記文章が提供又は送受信される通信端末装置を識別する識別子が前記登録手段に登録されているか否かを判定する判定部と、前記判定部で登録されていると判定されたとき、前記文章記憶部に記憶されている文章を形態素解析して単語単位に分割する分割部と、前記分割部で分割された単語の表記が、前記ジャンル辞書における前記登録手段に識別子とともに登録されたジャンルに登録されているか否かを検索し、登録されていれば対になる読みとともに抽出する検索抽出部とを有することとしている。このような構成によって、サーバは、通信端末装置から登録されたジャンルの単語を確実に抽出して、当該通信端末装置に送信することができる。
【００４２】
また、前記サーバは、メールサーバであり、前記文章記憶部は、或る通信端末装置から別の通信端末装置に送信されるメールの文章を記憶しており、前記識別子は、送信元と送信先の通信端末装置を識別するメールアドレスであり、前記単語送信手段は、前記検索抽出部で抽出された読みと表記とを送信元には、そのまま、送信先には、前記文章に読みと表記とを付加して送信することとしている。このような構成によって、メールの送信先の通信端末装置では、選択したジャンルの使用頻度の高くなると思われるメールの文章中の単語をメールの文章とともに受信できるので、ユーザ辞書に登録して単語入力に有効に利用することができる。
【００４３】
また、前記サーバは、ホームページを提供するサーバであり、前記文章記憶部は、提供するホームページの文章であり、前記識別子は、サーバにアクセスした通信端末装置を識別するＩＰアドレスであり、前記単語送信手段は、前記通信端末装置から当該文章記憶部に記憶された文章にアクセスされた後、前記検索抽出部で抽出された読みと表記とを送信することとしている。このような構成によって、通信端末装置は、閲覧したホームページの文章に含まれる選択したジャンルの単語をユーザ辞書に登録することができる。
【００４４】
また、本発明は、サーバと接続される通信端末装置であって、ユーザ辞書と、前記サーバに自装置の識別子と送信を希望する単語のジャンルとを通知する通知手段と、前記サーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。このような構成によって、サーバに予め登録したジャンルの単語が、サーバを介して自装置に送信される文章中に含まれるとき、その単語の送信を受け、ユーザ辞書を更新することができる。したがって、ユーザ辞書の利用価値が増す。
【００４５】
また、前記サーバに単語のジャンルの選択するためのメニューの送信要求をするメニュー送信要求手段と、前記サーバから送信されてくるメニューを受信して表示するメニュー受信表示手段とを更に備えることとしている。このような構成によって、通信端末装置は、容易に送信を希望する単語のジャンルを選択することができる。
【００４６】
また、前記通信端末装置は、携帯電話機であり、前記サーバの文章記憶部に記憶されている文章は、或る携帯電話機から別の携帯電話機に送信されるメールの文章であり、前記受信手段は、受信された単語の読みを表記との対を表示する表示部と、表示された単語を登録するか否かをユーザが選択する選択部とを有し、前記単語登録手段は、前記選択部で登録する旨の選択された単語の読みと表記とだけを登録することとしている。このような構成によって、通信端末装置のユーザ辞書をユーザの意思で更新することができる。
【００４７】
また、本発明は、サーバと複数の通信端末装置とからなる通信システムの通信方法であって、前記サーバにおいて、前記通信端末装置の識別子とジャンルとを登録する登録ステップと、前記登録ステップに登録された識別子で識別される通信端末装置に提供する文章又は送受信する文章に単語の読みと表記とをジャンル別に登録したジャンル辞書の当該ジャンルに登録された単語が存在するとき、当該単語の読みと表記とを当該通信端末装置に送信する単語送信ステップとを有し、
前記各通信端末装置において、前記サーバに自装置の識別子と送信を希望する単語のジャンルとを通知する通知ステップと、前記サーバから単語の読みと表記とを受信する受信ステップと、受信ステップで受信された各単語の読みと表記とがユーザ辞書に登録されているか否かを判定する判定ステップと、前記判定ステップで登録されていないと判定されたとき、ユーザ辞書に当該単語を登録する単語登録ステップとを有すこととしている。このような方法によって、各通信端末装置では、予めサーバに通知したジャンルの単語が、自装置に提供される文章中、自装置に送信される文章中又は自装置から送信した文章中に存在するとき、サーバからその単語の読みと表記とを受信し、自身のユーザ辞書に登録されていないとき、当該単語を登録することができる。従って、使用頻度の高い単語を容易にユーザ辞書に登録することができ、文章作成の平仮名文字の変換操作の煩雑さを回避できる。
【００４８】
また、本発明は、ユーザ辞書を有する複数の通信端末装置と接続されたサーバのユーザ辞書登録方法であって、前記通信端末装置の識別子とジャンルとを登録する登録ステップと、前記登録ステップで登録された識別子で識別される通信端末装置に提供する文章又は送受信する文章に単語の読みと表記とをジャンル別に登録したジャンル辞書の当該ジャンルに登録された単語が存在するとき、当該単語の読みと表記とを当該通信端末装置に送信する単語送信ステップとを有すこととしている。このような方法によって、サーバが介在する文章中に通信端末装置から指定されたジャンルの単語が含まれているとき、通信端末装置に当該単語の読みと表記とを送信するので、通信端末装置では、ユーザ辞書に登録して、ユーザの使用頻度の高い興味のあるジャンルの単語の変換の効率を上げることができる。
【００４９】
更に、本発明は、サーバに接続された通信端末装置のユーザ辞書登録方法であって、前記サーバに自装置の識別子と送信を希望する単語のジャンルとを通知する通知ステップと、前記サーバから単語の読みと表記とを受信する受信ステップと、受信ステップで受信された各単語の読みと表記とがユーザ辞書に登録されているか否かを判定する判定ステップと、前記判定ステップで登録されていないと判定されたとき、ユーザ辞書に当該単語を登録する単語登録ステップとを有することとしている。このような方法によって、サーバに予め登録したジャンルの単語が、サーバを介して自装置に送信される文章中に含まれるとき、その単語の送信を受け、ユーザ辞書を更新することができる。したがって、ユーザ辞書の利用価値が増す。
【図面の簡単な説明】
【図１】本発明に係る通信システムの一実施の形態の構成図である。
【図２】上記実施の形態のサーバのジャンル辞書のメニューの一例を示す図である。
【図３】上記実施の形態のジャンル辞書の内容の一例を示す図である。
【図４】上記実施の形態のサーバの登録部に登録されたユーザ辞書の更新を希望する通信端末と単語のジャンルとの組を記録した送信一覧表の一例を示すである。
【図５】上記実施の形態のサーバの文章記憶部に記憶された文章の一例を示す図である。
【図６】上記実施の形態の通信端末装置からサーバへのユーザ辞書更新のジャンル登録の登録画面の一例を示す図である。
【図７】上記実施の形態のユーザ辞書の内容の一例を示す図である。
【図８】上記実施の形態の通信システムにおける単語のジャンル登録の動作を説明するフローチャートである。
【図９】上記実施の形態のサーバの動作を説明するフローチャートである。
【図１０】上記実施の形態の通信端末装置でサーバを経由して受信したメールの表示画面の一例を示す図である。
【図１１】上記実施の形態の通信端末装置の更新されたユーザ辞書の一例を示す図である。
【図１２】上記実施の形態の通信端末装置におけるユーザ辞書の更新動作を説明するフローチャートである。
【符号の説明】
１０１    サーバ
１０２    携帯電話機
１０３    基地局
１０４    公衆回線網
１１１    ジャンル辞書
１１２    登録部
１１３    文章記憶部
１１４    送受信部
１１５    解析部
１１６    検索部
１２１    アンテナ
１２２    ＲＦ部
１２３    ＢＢ部
１２４    メモリ
１２５    マイク
１２６    スピーカ
１２７    表示部
１２８    ユーザ辞書
１２９    操作部
１３０    制御部
【図１】
2004295426.tif 000003
【図２】
2004295426.tif 000004
【図３】
2004295426.tif 000005
【図４】
2004295426.tif 000006
【図５】
2004295426.tif 000007
【図６】
2004295426.tif 000008
【図７】
2004295426.tif 000009
【図８】
2004295426.tif 000010
【図９】
2004295426.tif 000011
【図１０】
2004295426.tif 000012
【図１１】
2004295426.tif 000013
【図１２】
2004295426.tif 000014